(57)【要約】【課題】リーダ本体とＵＳＢケーブルとの接続を確実に保持でき、読取り作業を安定して行うことができるハンディ型ＲＦＩＤリーダを提供する。【解決手段】ハンディ型ＲＦＩＤリーダにＵＳＢケーブル３２を接続する際、ＲＦＩＤリーダの上部ケース１１ａ内に複数のケーブル保持用ボス４５ａ〜４５ｆを所定の配置関係を保って配置し、各ボス４５ａ〜４５ｆ間にＵＳＢケーブル３２をジグザグに這わせる。各組のボス間４５ａ、４５ｂ間、４５ｃ、４５ｄ間、４５ｅ、４５ｆ間の間隔をＵＳＢケーブル３２の直径より約０．５ｍｍ小さくし、各ボス４５ａ〜４５ｆによりＵＳＢケーブル３２を圧接して保持する。また、ＵＳＢケーブル３２の曲げの角度θを４５度以上とし、ケーブルの引張りに対する強度を増加する。【選択図】図４
2011039694.tif 000002
【特許請求の範囲】
【請求項１】
上部ケース及び下部ケースからなるケース本体と、前記上部ケースの前面に該ケースの表面より所定深さ凹んで設けられる操作・表示部と、前記操作・表示部の左右方向の中央部に設けられるタグ読取り用のトリガスイッチと、前記操作・表示部に設けられる動作状態表示用のインジケータと、前記ケース本体内に設けられる本体基板と、前記ケース本体内において前記下部ケースに近接して設けられるアンテナ基板と、前記ケース本体内に外部から導入されて前記本体基板に接続されるＵＳＢケーブルと、前記ケース本体内に導入されたＵＳＢケーブルを前記上部ケースに保持する保持手段と、前記下部ケースの底面において前記アンテナ基板のアンテナ配設位置に対応させて設けられる読取ターゲットマークとを具備し、
前記トリガスイッチは、操作先端が前記上部ケースの表面より低くなるように設定したことを特徴とするハンディ型ＲＦＩＤリーダ。
【請求項２】
上位制御機器にＵＳＢケーブルを介して接続されるハンディ型ＲＦＩＤリーダにおいて、
上部ケース及び下部ケースからなるケース本体と、前記ケース本体内に設けられ、前記外部から導入されるＵＳＢケーブルが接続される本体基板と、前記上部ケースに設けられ、前記ケース本体内に導入されたＵＳＢケーブルをジグザグ状に這わせるように配置する複数のケーブル保持用ボスとを具備し、
前記複数のケーブル保持用ボスは、前記ＵＳＢケーブルを保持する間隔を前記ＵＳＢケーブルの直径より若干狭く設定し、前記ＵＳＢケーブルに圧接して保持することを特徴とするハンディ型ＲＦＩＤリーダ。
【請求項３】
前記複数のケーブル保持用ボスは、外周に補強用の複数のリブを備え、前記ＵＳＢケーブルに接触する部位のリブの高さを低く設定し、ＵＳＢケーブルに接触しない部位のリブの高さを高く設定することを特徴とする請求項２に記載のハンディ型ＲＦＩＤリーダ。
【発明の詳細な説明】
【技術分野】
【０００１】
本発明は、手に持って移動しながらＲＦＩＤタグの固有のデータを読取るハンディ型ＲＦＩＤリーダに関する。
【背景技術】
【０００２】
従来、商品や物品あるいは設備等にＲＦＩＤ（Radio Frequency IDentification）タグを取付け、ＲＦＩＤリーダのアンテナから上記ＲＦＩＤタグに無線電波による問合せ信号を送信し、ＲＦＩＤタグからの応答波を受信して固有のデータを読取ることにより商品や物品、設備等の管理を行う非接触ＩＤタグシステムが一般に知られている（例えば、特許文献１参照。）。
【０００３】
上記ＲＦＩＤリーダとしては、手で持って使用するハンディ型のものと、据え置いたまま使用する据置型のものがある。ハンディ型ＲＦＩＤリーダは、トリガスイッチ（読取スイッチ）を備え、このトリガスイッチが押下されているときに問合せ信号を送信し、各所に設置された設備に取付けられている管理用のＲＦＩＤタグの応答データを読取って上位制御機器例えばノート型のＰＣ（パーソナルコンピュータ）に出力するように構成されている。
【先行技術文献】
【特許文献】
【０００４】
【特許文献１】特開２００６−２５４０７９号公報
【発明の概要】
【発明が解決しようとする課題】
【０００５】
上記のようにハンディ型ＲＦＩＤリーダは、手に持って移動しながら使用するために小型、軽量とし、また、ＲＦＩＤタグが設置された状態に影響されない形状であることが必要である。そのため、次のような内容を考慮した形状が要求される。
【０００６】
・手に持って操作し易い形状であること。
【０００７】
・手に持って移動しても疲労しない質量であること。
【０００８】
・読取り面（アンテナ面）を固定されたＲＦＩＤタグにかざして操作が可能であり、且つインジケータが容易に確認できること。
【０００９】
・操作は、右手、左手双方で容易に行えること。
【００１０】
また、ＲＦＩＤリーダと上位制御機器との間はＵＳＢケーブルにより接続されるが、従来のＲＦＩＤリーダは、ＵＳＢケーブルとの接続が外部から接続・取り外しが可能なコネクタ接続となっている。しかし、ＲＦＩＤリーダとＵＳＢケーブルとの間を着脱可能なコネクタにより接続すると、ＲＦＩＤリーダを手に持ってＲＦＩＤタグの読取り作業を行った場合、ＲＦＩＤリーダの移動に伴ってＵＳＢケーブルに負荷が掛かり、その結果、読取り作業中にコネクタが外れて作業が中断されてしまう場合がある。
【００１１】
本発明は上記の課題を解決するためになされたもので、小型、軽量で操作が容易なハンディ型ＲＦＩＤリーダを提供することを目的とする。
【００１２】
また、本発明はＲＦＩＤタグの読取り作業中にＵＳＢケーブルに負荷が掛かった場合でも、リーダ本体とＵＳＢケーブルとの接続を確実に保持でき、読取り作業を安定して行うことができるハンディ型ＲＦＩＤリーダを提供することを目的とする。
【課題を解決するための手段】
【００１３】
第１の発明に係るハンディ型ＲＦＩＤリーダは、上部ケース及び下部ケースからなるケース本体と、前記上部ケースの前面に該ケースの表面より所定深さ凹んで設けられる操作・表示部と、前記操作・表示部の左右方向の中央部に設けられるタグ読取り用のトリガスイッチと、前記操作・表示部に設けられる動作状態表示用のインジケータと、前記ケース本体内に設けられる本体基板と、前記ケース本体内において前記下部ケースに近接して設けられるアンテナ基板と、前記ケース本体内に外部から導入されて前記本体基板に接続されるＵＳＢケーブルと、前記ケース本体内に導入されたＵＳＢケーブルを前記上部ケースに保持する保持手段と、前記下部ケースの底面において前記アンテナ基板のアンテナ配設位置に対応させて設けられる読取ターゲットマークとを具備し、前記トリガスイッチは、操作先端が前記上部ケースの表面より低くなるように設定したことを特徴とする。
【００１４】
第２の発明に係るハンディ型ＲＦＩＤリーダは、上位制御機器にＵＳＢケーブルを介して接続されるハンディ型ＲＦＩＤリーダにおいて、上部ケース及び下部ケースからなるケース本体と、前記ケース本体内に設けられ、前記外部から導入されるＵＳＢケーブルが接続される本体基板と、前記上部ケースに設けられ、前記ケース本体内に導入されたＵＳＢケーブルをジグザグ状に這わせるように配置する複数のケーブル保持用ボスとを具備し、前記複数のケーブル保持用ボスは、前記ＵＳＢケーブルを保持する間隔を前記ＵＳＢケーブルの直径より若干狭く設定し、前記ＵＳＢケーブルに圧接して保持することを特徴とする。
【００１５】
第３の発明は、前記第２の発明に係るハンディ型ＲＦＩＤリーダにおいて、前記複数のケーブル保持用ボスは、外周に補強用の複数のリブを備え、前記ＵＳＢケーブルに接触する部位のリブの高さを低く設定し、ＵＳＢケーブルに接触しない部位のリブの高さを高く設定することを特徴とする。
【発明の効果】
【００１６】
本発明によれば、小型、軽量で操作が容易であり、読取ターゲットマークを設備に取付けられている管理用のＲＦＩＤタグにかざして操作することが可能であり、且つ操作・表示部に設けたインジケータにより動作状態を確認することができる。
【００１７】
また、ケース本体内に複数のケーブル保持用ボスを設けてＵＳＢケーブルをジグザグ状に這わせて保持することにより、ＲＦＩＤタグの読取り作業中にＵＳＢケーブルに負荷が掛かった場合でも、リーダ本体とＵＳＢケーブルとの接続を確実に保持でき、読取り作業を安定して行うことができる。
【図面の簡単な説明】
【００１８】
【図１】本発明の実施例１に係るハンディ型ＲＦＩＤリーダの構成を示すもので、（ａ）は正面図、（ｂ）は上面図、（ｃ）は左側断面図、（ｄ）は背面図である。
【図２】同実施例１に係るハンディ型ＲＦＩＤリーダの外観斜視図である。
【図３】同実施例１に係るハンディ型ＲＦＩＤリーダの前面側を机上に向けて載置した状態を示す側面図である。
【図４】（ａ）は同実施例１に係るハンディ型ＲＦＩＤリーダの上部ケースの内部構成を示す斜視図、（ｂ）は同上部ケース内に設けられるケーブル保持用ボスを拡大して示す斜視図である。
【図５】同実施例１に係るハンディ型ＲＦＩＤリーダにおけるケーブル保持用ボスの配置構成を示す図である。
【図６】同実施例１に係るハンディ型ＲＦＩＤリーダにおけるケーブル保持用ボスとＵＳＢケーブルとの配置角度を示す図である。
【発明を実施するための形態】
【００１９】
以下、本発明の実施の形態について図面を参照して詳細に説明する。
【実施例１】
【００２０】
図１は本発明の実施例１に係るハンディ型ＲＦＩＤリーダの構成を示し、（ａ）は正面図、（ｂ）は上面図、（ｃ）は左側断面図、（ｄ）は背面図である。図２は同ハンディ型ＲＦＩＤリーダの外観構成を示す斜視図、図３は同ハンディ型ＲＦＩＤリーダの前面側を机上に向けて載置した状態を示す側面図である。
【００２１】
図１及び図２において、１１は本発明の実施例１に係るハンディ型ＲＦＩＤリーダ１０のケース本体（モールドケース）で、上部ケース１１ａ及び下部ケース１１ｂにより構成される。上部ケース１１ａと下部ケース１１ｂとの間は、下部ケース１１ｂの四隅においてネジ１２により固着される。
【００２２】
上部ケース１１ａの前面上部には、操作・表示部１３がケース表面より少し凹んで設けられる。操作・表示部１３には、左右の中央部にタグの読取りを行うためのトリガスイッチ１４が設けられると共に、左端側に電源のＯＮ／ＯＦＦ状態を示すインジケータ１５、読取り中に点灯するインジケータ１６、読取りが成功した場合に点灯する緑色のインジケータ１７、読取りが失敗した場合に点灯する赤色のインジケータ１８が設けられる。上記インジケータ１５、１６、１７、１８は、本体基板２５に実装され、詳細を後述するように操作・表示部１３に設けられた透明窓を介して表示される。
【００２３】
上記トリガスイッチ１４は、図３に示すようにトリガスイッチ１４の操作先端が上部ケース１１ａの表面より若干低くなるように、例えばトリガスイッチ１４の操作先端と上部ケース１１ａの表面との間隔ｄが約１ｍｍとなるように設けられる。すなわち、上部ケース１１ａの前面を下にしてハンディ型ＲＦＩＤリーダ１０を机４０の上に載置した場合でも、トリガスイッチ１４が机４０により押されてＯＮしないように、操作・表示部１３の凹み寸法やトリガスイッチ１４の高さ等が設定される。
【００２４】
上記本体基板２５は、上部ケース１１ａと下部ケース１１ｂ内の略中央部分に収納されるもので、前面側には上記インジケータ１５、１６、１７、１８及びその他の回路部品が実装され、裏面側には回路パターンが印刷されると共にアンテナ基板２６が絶縁スペーサ２７を介して装着される。この場合、アンテナ基板２６は、下部ケース１１ｂの底面に近接して設けられる。このアンテナ基板２６には、図２に示すようにＲＦＩＤタグ２０のＩＤ情報を読取るアンテナ、すなわちＲＦＩＤタグ２０に対して問い合わせ信号を送信し、ＲＦＩＤタグ２０からの応答波を受信するアンテナ、例えば円形状のパッチアンテナ（図示せず）が設けられる。上記ＲＦＩＤタグ２０は、各所に設置された設備に取付けられている管理用のタグである。
【００２５】
また、下部ケース１１ｂには、図１（ｄ）に示すように下面中央より少し上方位置にＲＦＩＤ読取部２１を示す読取ターゲットマーク２２が表示される。この読取ターゲットマーク２２は、アンテナ基板２６のアンテナ位置に対応して設けられる。
【００２６】
また、上部ケース１１ａには、図１及び図２に示すように、操作・表示部１３とは反対側に位置する下部上面に下端側が低くなるように傾斜させた傾斜部２３が設けられ、手で持ち易い形状となっている。また、下部ケース１１ｂの長手方向の両側部には、下面側の幅が狭くなるように傾斜させた傾斜部２４が設けられ、手で持った時に指が掛かり易い形状となっている。
【００２７】
また、上部ケース１１ａには、長手方向の一方の側部、例えば傾斜部２３の側部に音量スイッチ３０が設けられる。この音量スイッチ３０は、タグ読取り時に作動するブザー音の音量を例えば大、中、小の３段階に設定することができる。
【００２８】
更に、上部ケース１１ａ及び下部ケース１１ｂには、下側端部の中央を円筒状に突出させたケーブル挿入口３１が設けられる。このケーブル挿入口３１からＵＳＢコネクタ３３を備えたＵＳＢケーブル３２がケース内に導入される。この場合、ケーブル挿入口３１には、弾性部材からなるコードブッシュ３４が介在される。上記ＵＳＢコネクタ３３は、ハンディ型ＲＦＩＤリーダ１０の上位制御機器例えばノート型ＰＣ（図示せず）に接続される。
【００２９】
図４（ａ）は上部ケース１１ａの内部構成を示す斜視図、同図（ｂ）は上部ケース１１ａ内に設けられるケーブル保持用ボスを拡大して示す斜視図である。
【００３０】
図４（ａ）に示すように、上部ケース１１ａ内の四隅には下部ケース１１ｂをネジ止めするための下部ケース固定用ボス４１が設けられる。この下部ケース固定用ボス４１を利用して図１（ｄ）に示したようにネジ１２により下部ケース１１ｂが上部ケース１１ａにネジ止めされる。
【００３１】
また、上部ケース１１ａ内には、長手方向の両側部及び操作・表示部１３側の側部に基板保持用のボス４２が設けられる。このボス４２及び下部ケース１１ｂ側に設けられる基板保持用のボス（図示せず）を利用して本体基板２５がケース内に固定される。
【００３２】
また、上部ケース１１ａには、操作・表示部１３にトリガスイッチ装着穴１４ａ及びインジケータ１５、１６、１７、１８用の透明窓１５ａ、１６ａ、１７ａ、１８ａが設けられる。更に、上部ケース１１ａには、長手方向の一方の側部に音量スイッチ３０を配置するための切欠き２９が設けられる。
【００３３】
また、上部ケース１１ａには、ケーブル挿入口３１より内側に例えばＵ字状に形成されたケーブルガイド部材４３が設けられる。このケーブルガイド部材４３は、ケーブル挿入口３１からケース内に挿入されたＵＳＢケーブル３２を所定長さ直線状態に保持するためのものである。
【００３４】
そして、上部ケース１１ａ内には、上記ケーブルガイド部材４３の近傍に複数例えば６個（３組）のケーブル保持用ボス４５ａ〜４５ｆを所定の配置関係を保って配置し、ケーブル保持用ボス４５ａ〜４５ｆ間にＵＳＢケーブル３２をジグザグに這わせることで、引張りにも強く、抜けにも強い構造としている。この場合、ケーブル保持用ボス４５ａ〜４５ｆの高さは、その先端と下部ケース１１ｂとの間隔がＵＳＢケーブル３２の直径より小さい値となるように設定する。すなわち、ケーブル保持用ボス４５ａ〜４５ｆの先端と下部ケース１１ｂとの間からＵＳＢケーブル３２が他に移動しないようにする。上記ケーブル保持用ボス４５ａ〜４５ｆにより保持されたＵＳＢケーブル３２の先端は、図１に示した本体基板２５に接続される。
【００３５】
上記ケーブル保持用ボス４５ａ〜４５ｆの外側には、図４（ｂ）に示すように例えば９０度の間隔でリブ４６、４７を設けてボスの強度を補強する。上記リーダ本体に接続したＵＳＢケーブル３２を強く引っ張るとケーブル保持用ボス４５ａ〜４５ｆも同様に引っ張られるので、リブ４６、４７を設けてボスの強度をアップする。この場合、ＵＳＢケーブル３２が通らない部分には高さの高いリブ４６を設け、ＵＳＢケーブル３２が通る部分には高さの低いリブ４７を設ける。この高さの低いリブ４７は、例えば上端側が順次薄くなるようにテーパ状に形成する。なお、高さの高いリブ４６においても、上端側が順次薄くなるようにテーパ状に形成してもよい。
【００３６】
上記のようにケーブル保持用ボス４５ａ〜４５ｆに設けた強度アップ用のリブ４６、４７の高さを高いものと低いものとを使い分けて使用することにより、ＵＳＢケーブル３２の誤配線を防止する。
【００３７】
図５に示す例では、ＵＳＢケーブル３２の左側面に３個のケーブル保持用ボス４５ａ、４５ｃ、４５ｅ、右側面に３個のケーブル保持用ボス４５ｂ、４５ｄ、４５ｆを配置すると共に、第１組のボス４５ａ、４５ｂ間の間隔Ｌを「ＵＳＢケーブル３２の直径φＤｍｍ−０．５ｍｍ」とし、第２組のボス４５ｃ、４５ｄ間及び第３組のボス４５ｅ、４５ｆ間の間隔も同じ寸法とする。すなわち、各組のボス間の間隔ＬをＵＳＢケーブル３２の直径φより約０．５ｍｍ小さくし、ＵＳＢケーブル３２をケーブル保持用ボス４５ａ〜４５ｆ間に圧入して保持するように構成する。
【００３８】
図６はＵＳＢケーブル３２の曲げを考慮した場合の例であり、ＵＳＢケーブル３２の中心線を引いて曲げを示したもので、３回のケーブル曲げと、そのうち２回は曲げの角度θを４５度以上としている。このようにケーブル曲げの角度θを４５度以上とすることにより、ＵＳＢケーブル３２の引張りに対して非常に強くすることができる。
【００３９】
また、図６に破線矢印Ａで示すようにケーブル挿入口３１から上部ケース１１ａ内に導入したＵＳＢケーブル３２が第１組のケーブル保持用ボス４５ｂに衝突するようにケーブル保持用ボス４５ｂの位置を設定する。このようにＵＳＢケーブル３２とケーブル保持用ボス４５ｂとの配置関係を設定することにより、ＵＳＢケーブル３２の押し込みに対しても非常に強くすることができる。
【００４０】
以上説明したように６個のケーブル保持用ボス４５ａ〜４５ｆを所定の配置関係を保って配置し、ケーブル保持用ボス４５ａ〜４５ｆ間にＵＳＢケーブル３２をジグザグに這わせるように構成することで、ＵＳＢケーブル３２の引張りや押し込みに対して強いケース構造とすることができる。実測値では、引張り試験５０Ｎの力でＵＳＢケーブル３２を引っ張っても、ＵＳＢケーブル３２が本体から抜けないことを確認できた。
【００４１】
上記のように構成されたハンディ型ＲＦＩＤリーダ１０は、ＵＳＢケーブル３２に設けられているＵＳＢコネクタ３３を上位制御機器に接続する。上記ハンディ型ＲＦＩＤリーダ１０は、上位制御機器からＵＳＢケーブル３２により、例えばＤＣ＋５Ｖの電圧が動作電源として供給されると、操作・表示部１３に設けられている電源のＯＮ／ＯＦＦ状態を示すインジケータ１５が点灯する。ＲＦＩＤリーダ１０は、電源が供給されると動作状態となり、上位制御機器とのデータ通信を有線で行うと共に、図２に示すように各所に設置された設備に取付けられている管理用のＲＦＩＤタグ２０と通信を行い、ＲＦＩＤタグ２０内の固有のＩＤ情報を取得する。ＲＦＩＤリーダ１０が取得したＩＤ情報は、上位制御機器に転送されて、データの照合や紐付け作業が行われる。
【００４２】
上記ＲＦＩＤタグ２０の読取り作業を行う場合、ハンディ型ＲＦＩＤリーダ１０を片手に持って、電波が送信される面、すなわち下部ケース１１ｂの底面に設けられた読取ターゲットマーク２２をＲＦＩＤタグ２０にかざし、操作・表示部１３に設けられているトリガスイッチ１４を例えば人差し指で押下することにより、トリガスイッチＯＮ情報が上位制御機器に通知され、上位制御機器でプログラミングされたアプリケーションにより読取り命令がＲＦＩＤリーダ１０に発行され、リーダが読取り動作を開始する。なお、上記ＲＦＩＤリーダ１０は、トリガスイッチ１４が上部ケース１１ａの左右方向の中央部に設けられているので、左右何れの手でも操作することが可能である。
【００４３】
上記ＲＦＩＤリーダ１０が読取り動作を行っている間、操作・表示部１３に設けられているインジケータ１６が点灯し、読取り中であることを表示する。ＲＦＩＤリーダ１０により読取られたＲＦＩＤタグ２０のＩＤ情報は、ＵＳＢケーブル３２を介して上位制御機器へ送られる。上記ＲＦＩＤリーダ１０によるタグ読取りが成功した場合は緑色のインジケータ１７が点灯し、タグ読取りが失敗した場合は赤色のインジケータ１８が点灯して作業者に知らせる。
【００４４】
上記のタグ読取り作業において、作業者が休憩する場合等において、図３に示すように上部ケース１１ａの前面側を下にして机４０の上に置いた場合、トリガスイッチ１４が上部ケース１１ａの面位置より突出していると、トリガスイッチ１４が押されて常にＯＮ状態となって読取り動作が継続されてしまうが、本実施例ではトリガスイッチ１４の操作先端が上部ケース１１ａの表面より１ｍｍ程度低い位置に設けられているので、トリガスイッチ１４が机４０に接触してＯＮすることはなく、無駄な電力消費を防止することができる。
【００４５】
また、作業者が上記の読取り作業中に他のＲＦＩＤタグ２０のＩＤ情報を読取る等の理由で作業位置を移動する際、ＲＦＩＤリーダ１０とＵＳＢケーブル３２との間に強い引張り力が加わったとしても、ＵＳＢケーブル３２はケーブル保持用ボス４５ａ〜４５ｆによりしっかりと保持されているので、リーダ本体から抜けるようなことはなく、作業者は読取り作業を継続することができる。
【００４６】
また、上記ケーブル保持用ボス４５ａ〜４５ｆは、強度をアップするためにリブ４６、４７を設けているが、ＵＳＢケーブル３２が通らない部分には高さの高いリブ４６を使用し、ＵＳＢケーブル３２が通る部分には高さの低いリブ４７を使用することにより、ＵＳＢケーブル３２をケース内に導入する際は高さの低いリブ４７部分を通るように配線すればよく、誤配線を確実に防止することができる。
【００４７】
以上説明したように上記実施例によれば、小型、軽量で操作が容易であり、また、ＲＦＩＤタグの読取り作業中にＵＳＢケーブルに負荷が掛かった場合でも、リーダ本体とＵＳＢケーブルとの接続を確実に保持でき、読取り作業を安定して行うことができるハンディ型ＲＦＩＤリーダを提供することができる。
【００４８】
なお、本発明は、上記実施の形態そのままに限定されるものではなく、実施段階ではその要旨を逸脱しない範囲で構成要素を変形して具体化できるものである。
【符号の説明】
【００４９】
１０…ＲＦＩＤリーダ、１１…ケース本体、１１ａ…上部ケース、１１ｂ…下部ケース、１２…ネジ、１３…操作・表示部、１４…トリガスイッチ、１４ａ…トリガスイッチ装着穴、１５〜１８…インジケータ、２０…ＲＦＩＤタグ、２１…ＲＦＩＤ読取部、２２…読取ターゲットマーク、２３…傾斜部、２４…傾斜部、２５…本体基板、２６…アンテナ基板、２７…絶縁スペーサ、３０…音量スイッチ、３１…ケーブル挿入口、３２…ＵＳＢケーブル、３３…ＵＳＢコネクタ、３４…コードブッシュ、４０…机、４１…下部ケース固定用ボス、４２…基板保持用のボス、４３…ケーブルガイド部材、４５ａ〜４５ｆ…ケーブル保持用ボス、４６、４７…リブ。
【図１】
2011039694.tif 000003
【図２】
2011039694.tif 000004
【図３】
2011039694.tif 000005
【図４】
2011039694.tif 000006
【図５】
2011039694.tif 000007
【図６】
2011039694.tif 000008